(57)【要約】【課題】  欠陥について容器を検査する機械を提供する。【解決手段】  容器を検査するための機械は、対になっている上のベルト駆動装置と対になっている下のベルト駆動装置とを有するベルト駆動装置を備える。各ベルト駆動装置は、それ自体のモータを有し、各対の向き合ったベルト駆動装置は、相対的に水平方向に変位でき、１．下駆動ベルト対を越えて上駆動ベルト対を持ち上げることができるように、２．下駆動ベルト対を引き離し、外れ位置まで下げることができるように、及び３．次いで上駆動ベルト対を、このベルト対だけが小型容器と係合する位置まで下げることができるように、ユニットとして垂直方向に変位する。【選択図】  図１
2005022869.tif 000002
【特許請求の範囲】
【請求項１】
容器検査機用のベルト駆動式のコンベアシステムにおいて、
取り上げ位置でボトルを取り上げ、取り上げたボトルを放出位置に搬送するためのベルト駆動式コンベア機構であって、対になっている向き合った上ベルト駆動装置と対になっている向き合った下ベルト駆動装置とを含むベルトコンベア機構と、
（１）上駆動ベルトの対と下駆動ベルトの対との間で相対的に水平方向に移動できる垂直方向位置まで、前記上駆動ベルトの対を持ち上げることができるように、（２）前記下駆動ベルトの対を引き離し、外れ位置まで下げることができるように、及び（３）次いで前記上駆動ベルトの対を、そのベルト対だけが小型容器と係合する位置まで下げることができるように、前記対になっている向き合った上ベルト駆動装置及び対になっている向き合った下ベルト駆動装置を支持する手段と
を有する、容器検査機用のベルト駆動式のコンベアシステム。
【請求項２】
請求項１に記載の容器検査機用のベルト駆動式のコンベアシステムにおいて、
ベルト駆動ケーシングと、
前記ベルト駆動ケーシングに取り付けられた、駆動可能な部材を持つベルト支持手段と、
前記駆動可能な部材を駆動するため、前記ケーシングに取り付けられたモータ手段と
を含む、容器検査機用のベルト駆動式のコンベアシステム。
【請求項３】
請求項２に記載の容器検査機用のベルト駆動式のコンベアシステムにおいて、
前記対になっている向き合った上ベルト駆動装置及び対になっている向き合った下ベルト駆動装置を支持する手段は、
対になっている向き合った上ベルト駆動装置のベルトが容器と係合してこの容器を駆動することができるように、片持ち梁式に支持された対になっている向き合った上ベルト駆動装置を互いに向かって支持するための第１支持手段、及び
対になっている向き合った下ベルト駆動装置のベルトが容器と係合してこの容器を駆動することができるように、片持ち梁式に支持された対になっている向き合った下ベルト駆動装置を互いに向かって支持するための第２支持手段を有し、
前記第１の支持手段及び第２の支持手段は、各々、各ベルト駆動装置に固定された垂直ブラケットと、前記垂直ブラケットを互いに向かって又は互いから遠ざかるように協働して変位させ、前記ベルト駆動装置を開放し又は閉鎖するためのモータを含む水平方向変位手段と、前記水平方向変位手段を上昇させたり下降させたりするためのモータを含む垂直方向変位手段を含む、
容器検査機用のベルト駆動式のコンベアシステム。
【発明の詳細な説明】
【技術分野】
【０００１】
本発明は、欠陥についてボトルを検査する機械に関し、更に詳細には、向き合った対をなしたベルトを持つベルトコンベアでボトルを一つ又はそれ以上の検査ステーションを通して搬送する機械に関する。
【背景技術】
【０００２】
当該技術の現状では、向き合った、複数対の水平方向ベルトを持つベルト駆動機構によってボトルを多くの検査ステーションを通して搬送するガラスボトル検査機が米国特許第５，４２２，４７６号に開示されている。
【特許文献１】米国特許第５，４２２，４７６号
【発明の開示】
【発明が解決しようとする課題】
【０００３】
本発明の目的は、このような機械用の、改良されたベルト駆動装置を提供することである。
【課題を解決するための手段】
【０００４】
上記目的を達成するために、本発明は、容器検査機用のベルト駆動式のコンベアシステムにおいて、取り上げ位置でボトルを取り上げ、取り上げたボトルを放出位置に搬送するためのベルト駆動式コンベア機構であって、対になっている向き合った上ベルト駆動装置と対になっている向き合った下ベルト駆動装置とを含むベルトコンベア機構と、（１）上駆動ベルトの対と下駆動ベルトの対との間で相対的に水平方向に移動できる垂直方向位置まで、前記上駆動ベルトの対を持ち上げることができるように、（２）前記下駆動ベルトの対を引き離し、外れ位置まで下げることができるように、及び（３）次いで前記上駆動ベルトの対を、そのベルト対だけが小型容器と係合する位置まで下げることができるように、前記対になっている向き合った上ベルト駆動装置及び対になっている向き合った下ベルト駆動装置を支持する手段とを有することを特徴としている。
【０００５】
上記容器検査機用のベルト駆動式のコンベアシステムは、ベルト駆動ケーシングと、前記ベルト駆動ケーシングに取り付けられた、駆動可能な部材を持つベルト支持手段と、前記駆動可能な部材を駆動するため、前記ケーシングに取り付けられたモータ手段とを含むように構成することができる。
【０００６】
また、上記容器検査機用のベルト駆動式のコンベアシステムにおいて、前記対になっている向き合った上ベルト駆動装置及び対になっている向き合った下ベルト駆動装置を支持する手段は、対になっている向き合った上ベルト駆動装置のベルトが容器と係合してこの容器を駆動することができるように、片持ち梁式に支持された対になっている向き合った上ベルト駆動装置を互いに向かって支持するための第１支持手段、及び対になっている向き合った下ベルト駆動装置のベルトが容器と係合してこの容器を駆動することができるように、片持ち梁式に支持された対になっている向き合った下ベルト駆動装置を互いに向かって支持するための第２支持手段を有し、前記第１の支持手段及び第２の支持手段は、各々、各ベルト駆動装置に固定された垂直ブラケットと、前記垂直ブラケットを互いに向かって又は互いから遠ざかるように協働して変位させ、前記ベルト駆動装置を開放し又は閉鎖するためのモータを含む水平方向変位手段と、前記水平方向変位手段を上昇させたり下降させたりするためのモータを含む垂直方向変位手段を含むように構成することもできる。
【０００７】
本発明のこの他の目的及び利点は、本明細書の以下の記載から、及び本発明の原理を組み込んだ現在の好ましい実施例を特許法の定めに従って示す添付図面から明らかになるであろう。
【発明を実施するための最良の形態】
【０００８】
図１は、送り込みコンベア（ｉｎｆｅｅｄ  ｃｏｎｖｅｙｏｒ）１４が搬送する一列のボトル１２を検査する検査機１０を示す概略図である。様々な検査のうちの任意の検査をこの機械によって実施できる。
【０００９】
図２は、この機械用のベルトコンベア機構２０を示す。この機構は、送り込みコンベア１４からボトルを受け取ってこれらのボトルを一つ又はそれ以上の検査位置を通して搬送し、送り出しコンベア（ｄｉｓｃｈａｒｇｅ  ｃｏｎｖｅｙｏｒ）１６に放出する。送り込みコンベア１４及び送り出しコンベア１６は前ガード１７を有し、これらの前ガード１７は検査機器（光源、カメラ、等）用の前ガード１８とともにコンベア送り込み／送り出しコンベアシステムの前面を画成する。
【００１０】
わかるように、ベルトコンベア機構２０は、上方の一対の向き合ったベルト駆動装置２２と、下方の一対の向き合ったベルト駆動装置２４とを有する。ベルト駆動装置２２の各々は、水平方向スライド部材２８と一体の垂直な支柱２６から片持ち梁式に支持されている。上方（下方）の一対の向き合ったベルト駆動装置の、二つのスライド部材２８の各々には、ラック部分２９（図４にその一つが示してある）が設けられている。ラック部分２９は駆動ピニオン３０と作動的に関連している。
【００１１】
一対の向き合ったベルト駆動装置の、二つのスライド部材２８は、キャリッジ３４に取り付けられた三対のローラ３２（図３及び図４）によって、横方向に変位するように支持されている。上スライド部材２８は、上のローラの対と中央のローラの対との間に支持され、下スライド部材２８は、中央のローラの対と下のローラの対との間に支持される。一対の向き合ったベルト駆動装置が互いに向かって接近した（ｃｌｏｓｅｄ）状態にある場合、スライド部材２８を関連した支柱２６の適当な穴２９´に入れることができる。キャリッジは、更に、向き合った対をなした上方のローラ３６及び向き合った対をなした下方のローラ３６を支持する。これらのローラ３６は、検査領域上に垂下するように機械フレームに固定されたハウジング３８（図４参照）の外軌道（図示せず）によって捕捉される。
【００１２】
開／閉ステップモータ４０（向き合った対をなしたベルト駆動装置の各々に一つのモータが設けられている）が作動されたとき、下スライド部材２８内に固定された対応するナット（図４に示さず）にねじ切るように受け入れられたねじ４４をプーリが駆動し、これにより下スライド部材及び取り付けられた支柱２６を変位する。開／閉モータの作動により、上ベルト駆動装置２２及び下ベルト駆動装置２４を協働して水平方向に互いに向かって又は互いから遠ざかる方向に変位する。
【００１３】
ハウジング３８は、機械フレームに固定されたマウント３９と一体であり、一対のアップ／ダウンモータ５０がハウジングに取り付けられている。一方のモータが上駆動ベルトと関連しており、他方のモータが下駆動ベルトと関連している。各モータはプーリ４２を作動し、このプーリ４２が、細長いナット５２によって作動的に受け入れられたねじ４４を回転駆動する。ナット５２はブラケット５４を介してキャリッジに接合されている。
【００１４】
各ベルト駆動装置（図５）は、プーリ５６を両端で支持するハウジング又はアーム５５を有する。ベルト５７を支持するこれらのプーリ５６は、これらのプーリ５６のうちの一つをステップモータ駆動装置６０に相互連結するタイミングベルト５８を介して駆動される。ステップモータは、図２に示すようにケーシングの上部に取り付けられる。下ベルト駆動装置用のステップモータは、上ケーシング内で画成されたポケット又は切り欠き６２に入ることができるように、下ケーシングの上面に取り付けられる。垂直方向の変位を容易にするため、各アッセンブリの釣合いをとり、アッセンブリの重量を実質的になくす。
【００１５】
図２は、垂直方向に積み重ねられた上下のベルト駆動装置を有する、大型製品１２Ａ用の形体で配置された上下のベルト駆動装置対を示している。
図６は、小型製品即ちミニ製品１２Ｂ用の形体での上下の駆動ベルトの対の位置を示している。この形体に達するため、上ベルト駆動装置の対が持ち上げられて垂直方向に隣接したベルト駆動装置が引き離され、これらが相対的に水平方向に変位できる（下駆動装置に設けられたモータの頂部が上ケーシングを越える）ようにする。下ベルト駆動装置の対は、下ベルト駆動装置の両方がコンベアの前壁を水平方向で越える位置まで水平方向に引き離される。次いで、ベルト駆動装置（そのモータ）の頂部が送り込みコンベア／送り出しコンベアの表面６０（図６）の下にくるまで下ベルト駆動装置を下げる。最後に、上駆動ベルト対を、ケーシングがコンベアの表面６０の直ぐ上にある位置まで下げる。上駆動ベルト対の駆動ベルトは、ミニ製品１２Ｂの側壁と隣接して配置できる。
【図面の簡単な説明】
【００１６】
【図１】本発明の教示に従って制作された、ボトルを検査するための検査機を示す概略斜視図である。
【図２】大型製品形体にある、図１に示す機械のベルト駆動アッセンブリを示す斜視図である。
【図３】向き合ったベルト駆動装置の一方の案内ホイールアッセンブリを示す斜視図である。
【図４】開閉ステップモータを含むベルト駆動ハウジングを示す斜視図である。
【図５】ベルト駆動ユニットを示す底面図である。
【図６】小型製品形体にある、図１に示す機械のベルト駆動アッセンブリを示す斜視図である。
【符号の説明】
【００１７】
１０  検査機
１２  ボトル
１４  送り込みコンベア
１６  送り出しコンベア
１７、１８  前ガード
２０  ベルトコンベア機構
２２  上ベルト駆動装置
２４  下ベルト駆動装置
２６  垂直支柱
２８  水平方向スライド部材
２９  ラック部分
３０  駆動ピニオン
３２  ローラ
３４  キャリッジ
３６  ローラ
３８  ハウジング
３９  マウント
４０  開／閉ステップモータ
４２  プーリ
４４  ねじ
５２  ナット
５４  ブラケット
５６  プーリ
【図１】
2005022869.tif 000003
【図２】
2005022869.tif 000004
【図３】
2005022869.tif 000005
【図４】
2005022869.tif 000006
【図５】
2005022869.tif 000007
【図６】
2005022869.tif 000008